【手続補正書】
【提出日】平成20年3月10日(2008.3.10)
【手続補正１】
【補正対象書類名】明細書
【補正対象項目名】特許請求の範囲
【補正方法】変更
【補正の内容】
【特許請求の範囲】
【請求項１】  画像信号伝送装置であって、
入力画像信号において、注目画素を選出し、所定の方向に位置する１乃至複数の画素を候補画素として選出する候補選出手段と、
それぞれ上記候補画素の周辺画素あるいは上記注目画素に基づいて、それぞれ上記候補画素の画素値をベクトルに変換するベクトル変換手段と、
上記ベクトルに変換された上記候補画素の画素値に基づいて、伝送する画素を上記候補画素内において決定する伝送画素決定手段と、
上記注目画素の状況あるいは伝送方法に基づいた画像伝送状況を特徴として抽出する手段とを有し、
上記特徴に応じて、上記伝送画素決定手段における伝送画素決定方法を変更することを特徴とする画像信号伝送装置。
【請求項２】  請求項１において、
上記候補画素の画素値のベクトルを表現するものとして、注目画素と次に送信する画素との差分値をベクトル表現で表すようにした画像信号伝送装置。
【請求項３】  請求項１において、
上記候補画素の画素値のベクトルを表現するものとして、画素値自体をベクトル表現で表すようにした画像信号伝送装置。
【請求項４】  請求項１において、
上記特徴が画素周辺の状況である画像信号伝送装置。
【請求項５】  請求項１において、
上記特徴がスキャンの状況である画像信号伝送装置。
【請求項６】  請求項１において、
上記特徴が候補になった回数である画像信号伝送装置。
【請求項７】  請求項１において、
上記特徴がスキャンの履歴である画像信号伝送装置。
【請求項８】  請求項１において、
上記特徴が画素データの色空間内の位置である画像信号伝送装置。
【請求項９】  画像信号伝送方法であって、
入力画像信号において、注目画素を選出し、所定の方向に位置する１乃至複数の画素を候補画素として選出する候補選出ステップと、
それぞれ上記候補画素の周辺画素あるいは上記注目画素に基づいて、それぞれ上記候補画素の画素値をベクトルに変換するベクトル変換ステップと、
上記ベクトルに変換された上記候補画素の画素値に基づいて、伝送する画素を上記候補画素内において決定する伝送画素決定ステップと、
上記注目画素の状況あるいは伝送方法に基づいた画像伝送状況を特徴として抽出するステップとを有し、
上記特徴に応じて、上記伝送画素決定ステップにおける伝送画素決定方法を変更することを特徴とする画像信号伝送方法。
【請求項１０】  入力画像信号において、注目画素を選出し、所定の方向に位置する１乃至複数の画素を候補画素として選出し、それぞれ上記候補画素の周辺画素あるいは上記注目画素に基づいて、それぞれ上記候補画素の画素値をベクトルに変換し、上記ベクトルに変換された上記候補画素の画素値に基づいて、伝送する画素を上記候補画素内において決定し、上記注目画素の状況あるいは伝送方法に基づいた画像伝送状況を特徴として抽出し、上記特徴に応じて、上記伝送画素決定手段における伝送画素決定方法を変更するようにした画像信号伝送装置から伝送されてくる伝送データを受信する画像信号受信装置において、
伝送データを受信する受信手段と、
受信されたデータから画素値を生成する画素値生成手段と、
受信されたデータから出力位置を決定する出力位置決定手段と、
上記注目画素の状況あるいは伝送方法に基づいた画像伝送状況を特徴として抽出する手段とを有し、
上記特徴に応じて、上記画素値生成手段における画素値生成方法を変更することを特徴とする画像信号受信装置。
【請求項１１】  請求項１０において、
上記候補画素の画素値のベクトルを表現するものとして、注目画素と次に送信する画素との差分値をベクトル表現で表すようにした画像信号受信装置。
【請求項１２】  請求項１０において、
上記候補画素の画素値のベクトルを表現するものとして、画素値自体をベクトル表現で表すようにした画像信号受信装置。
【請求項１３】  請求項１０において、
上記特徴が画素周辺の状況である画像信号受信装置。
【請求項１４】  請求項１０において、
上記特徴がスキャンの状況である画像信号受信装置。
【請求項１５】  請求項１０において、
上記特徴が候補になった回数である画像信号受信装置。
【請求項１６】  請求項１０において、
上記特徴がスキャンの履歴である画像信号受信装置。
【請求項１７】  請求項１０において、
上記特徴が画素データの色空間内の位置である画像信号受信装置。
【請求項１８】  入力画像信号において、注目画素を選出し、所定の方向に位置する１乃至複数の画素を候補画素として選出し、それぞれ上記候補画素の周辺画素あるいは上記注目画素に基づいて、それぞれ上記候補画素の画素値をベクトルに変換し、上記ベクトルに変換された上記候補画素の画素値に基づいて、伝送する画素を上記候補画素内において決定し、上記注目画素の状況あるいは伝送方法に基づいた画像伝送状況を特徴として抽出し、上記特徴に応じて、上記伝送画素決定手段における伝送画素決定方法を変更するようにした画像信号伝送装置から伝送されてくる伝送データを受信する画像信号受信方法において、
伝送データを受信する受信ステップと、
受信されたデータから画素値を生成する画素値生成ステップと、
受信されたデータから出力位置を決定する出力位置決定ステップと、
上記注目画素の状況あるいは伝送方法に基づいた画像伝送状況を特徴として抽出するステップとを有し、
上記特徴に応じて、上記画素値生成ステップにおける画素値生成方法を変更することを特徴とする画像信号受信方法。
【手続補正２】
【補正対象書類名】明細書
【補正対象項目名】０００９
【補正方法】変更
【補正の内容】
【０００９】
請求項１０の発明は、入力画像信号において、注目画素を選出し、所定の方向に位置する１乃至複数の画素を候補画素として選出し、それぞれ候補画素の周辺画素あるいは注目画素に基づいて、それぞれ候補画素の画素値をベクトルに変換し、ベクトルに変換された候補画素の画素値に基づいて、伝送する画素を候補画素内において決定し、注目画素の状況あるいは伝送方法に基づいた画像伝送状況を特徴として抽出し、特徴に応じて、伝送画素決定手段における伝送画素決定方法を変更するようにした画像信号伝送装置から伝送されてくる伝送データを受信する画像信号受信装置において、
伝送データを受信する受信手段と、
受信されたデータから画素値を生成する画素値生成手段と、
受信されたデータから出力位置を決定する出力位置決定手段と、
注目画素の状況あるいは伝送方法に基づいた画像伝送状況を特徴として抽出する手段とを有し、
特徴に応じて、画素値生成手段における画素値生成方法を変更することを特徴とする画像信号受信装置である。
【手続補正３】
【補正対象書類名】明細書
【補正対象項目名】００１０
【補正方法】変更
【補正の内容】
【００１０】
請求項１８の発明は、入力画像信号において、注目画素を選出し、所定の方向に位置する１乃至複数の画素を候補画素として選出し、それぞれ候補画素の周辺画素あるいは注目画素に基づいて、それぞれ候補画素の画素値をベクトルに変換し、ベクトルに変換された候補画素の画素値に基づいて、伝送する画素を候補画素内において決定し、注目画素の状況あるいは伝送方法に基づいた画像伝送状況を特徴として抽出し、特徴に応じて、伝送画素決定手段における伝送画素決定方法を変更するようにした画像信号伝送装置から伝送されてくる伝送データを受信する画像信号受信方法において、
伝送データを受信する受信ステップと、
受信されたデータから画素値を生成する画素値生成ステップと、
受信されたデータから出力位置を決定する出力位置決定ステップと、
注目画素の状況あるいは伝送方法に基づいた画像伝送状況を特徴として抽出するステップとを有し、
特徴に応じて、画素値生成ステップにおける画素値生成方法を変更することを特徴とする画像信号受信方法である。